(57)【要約】【課題】  安価な構造で塵埃処理機能を備えていること。【解決手段】  合成樹脂製筐体１内に光ピックアップとスピンドルモータ１０とが配置され、該スピンドルモータ１０から上方に延びる回転軸１１の上端部にターンテーブルが嵌着されており、該ターンテーブルにセットしたディスクをスピンドルモータ１０により高速回転させ、そのディスクに記録されている情報を前記光ピックアップにより読み取るようにしたディスク装置において、前記回転軸１１の下端部１１ｂがスピンドルモータ１０から下方に延ばされ、該回転軸１１の下端部１１ｂに取付具１６を介して掃除用ブラシ１５が取り付けられており、スピンドルモータ１０により回転軸１１を介してターンテーブルを高速回転させると同時にブラシ１５を高速回転させ、その高速回転するブラシ１５でボトムシャーシ１ａの底面１Ａ上を掃除する。【選択図】        図５
2007048375.tif 000002
【特許請求の範囲】
【請求項１】
合成樹脂製筐体内に光ピックアップとスピンドルモータとが配置され、該スピンドルモ
ータから上方に延びる回転軸の上端部にターンテーブルが嵌着されており、該ターンテー
ブルにセットしたディスクをスピンドルモータにより高速回転させ、そのディスクに記録
されている情報を前記光ピックアップにより読み取るようにしたディスク装置において、
前記回転軸の下端部がスピンドルモータから下方に延ばされ、該回転軸の下端部に掃除用
ブラシが取り付けられ、前記筐体の底面に、ブラシによる掃除区域を横断するようしてス
リット状塵埃排出口が貫設され、該塵埃排出口がブラシの回転方向に沿って斜め下向きに
傾斜され、その塵埃排出口のブラシに対向する前後両側縁のうち、その前方側縁を上方に
若干突出させて突条部が形成されると共に、その後方側縁を斜めに削除して塵埃排出口に
向けて斜め下向きに所定角度傾斜し筐体の底面から下方に所定間隔下がる傾斜ガイド面が
形成されており、スピンドルモータにより回転軸を介してターンテーブルを高速回転させ
ると同時にブラシを高速回転させて筐体の底面上を掃除し、その高速回転するブラシを前
記傾斜ガイド面上を通って前記突条部に接触させることにより、該ブラシに付着する塵埃
を塵埃排出口内に掻き落とすようにしたことを特徴とするディスク装置。
【請求項２】
合成樹脂製筐体内に光ピックアップとスピンドルモータとが配置され、該スピンドルモ
ータから上方に延びる回転軸の上端部にターンテーブルが嵌着されており、該ターンテー
ブルにセットしたディスクをスピンドルモータにより高速回転させ、そのディスクに記録
されている情報を前記光ピックアップにより読み取るようにしたディスク装置において、
前記回転軸の下端部がスピンドルモータから下方に延ばされ、該回転軸の下端部に掃除用
ブラシが取り付けられており、スピンドルモータにより回転軸を介してターンテーブルを
高速回転させると同時にブラシを高速回転させ、その高速回転するブラシで筐体の底面上
を掃除することを特徴とするディスク装置。
【請求項３】
前記筐体の底面に、ブラシによる掃除区域を横断するようしてスリット状塵埃排出口が
貫設されていることを特徴とする請求項２に記載のディスク装置。
【請求項４】
前記塵埃排出口がブラシの回転方向に沿って斜め下向きに傾斜されていることを特徴と
する請求項３に記載のディスク装置。
【請求項５】
前記塵埃排出口のブラシに対向する前後両側縁のうち、その前方側縁を上方に若干突出
させて突条部が形成されており、該突条部によりブラシに付着する塵埃を塵埃排出口内に
掻き落とすようにしたことを特徴とする請求項３または４に記載のディスク装置。
【請求項６】
前記塵埃排出口のブラシに対向する前後両側縁のうち、その後方側縁を斜めに削除して
塵埃排出口に向けて斜め下向きに所定角度傾斜し筐体の底面から下方に所定間隔下がる傾
斜ガイド面が形成されており、その傾斜ガイド面上を通って塵埃排出口の前方側縁にブラ
シを接触させることにより、該ブラシに付着する塵埃を塵埃排出口内に掻き落とすように
したことを特徴とする請求項３または４に記載のディスク装置。
【請求項７】
前記塵埃排出口のブラシに対向する前後両側縁のうち、その前方側縁を上方に若干突出
させて突条部が形成されると共に、その後方側縁を斜めに削除して塵埃排出口に向けて斜
め下向きに所定角度傾斜し筐体の底面から下方に所定間隔下がる傾斜ガイド面が形成され
ており、その傾斜ガイド面上を通って突条部にブラシを接触させることにより、該ブラシ
に付着する塵埃を塵埃排出口内に掻き落とすようにしたことを特徴とする請求項３または
４に記載のディスク装置。
【発明の詳細な説明】
【技術分野】
【０００１】
本発明は、例えばＤＶＤプレーヤなどのディスク装置に関し、特に安価な構造で塵埃処
理機能を備えるようにしたものである。
【背景技術】
【０００２】
従来、ＤＶＤプレーヤの一例として図８及び図９に示すものがある。これは、ボトムシ
ャーシ１ａ及びトップシャーシ１ｂとフロントパネル１ｃとからなる矩形箱状筐体１を有
し、該筐体１内のメインシャーシ２上にディスクＤ載置用トレイ３がフロントパネル１ｃ
の開口部４を通って前後進ａ，ｂ可能に配置され、該トレイ３の下方に配置したドライブ
シャーシ５がメインシャーシ２に枢支軸６を介して上下動ｃ，ｄ可能に配置され、該ドラ
イブシャーシ５の前面に突設したカム軸７がカムスライダ８のカム溝８ａに嵌入され、該
カムスライダ８がメインシャーシ２の前部に前後進ａ，ｂとは直交する左右方向ｅ，ｆ方
向に沿ってスライド可能に配置され、前記ドライブシャーシ５上に前後進ａ，ｂ可能な光
ピックアップ９とスピンドルモータ１０とが配置され、該スピンドルモータ１０から上方
に延びる回転軸１１の上端部１１ａにターンテーブル１２が嵌着されている。なお、１３
はメインシャーシ２の両側壁部間に架設した横桁１４に一定範囲内昇降可能に配置した磁
石付きディスクホルダである。
【０００３】
動作原理を説明すると、図８の実線及び図９（ａ）はプレイモードを示しており、ター
ンテーブル１２により持ち上げたディスクＤにディスクホルダ１３を押し付けることによ
り、該ディスクＤをターンテーブル１２上にセットし、スピンドルモータ１０により回転
軸１１及びターンテーブル１２を介してディスクＤを矢印ｇ方向に高速回転させ、そのデ
ィスクＤに記録されている情報を光ピックアップ９で読み取り、モニターに映像を再生す
る。
【０００４】
プレイモードからアンローディング信号が入力されると、図９（ｂ）に示すように、カ
ムスライダ８を左方向ｅ（または右方向ｆ）にスライドさせてドライブシャーシ５を下動
ｄさせることにより、ターンテーブル１２からトレイ３上にディスクＤを受け渡した後、
該トレイ３を前進ａさせ、そのトレイ３からディスクＤを取り出し新たなディスクＤをト
レイ３上に載置する。
【０００５】
続いて、ローディング信号が入力されると、図９（ａ）に示すように、トレイ３を後進
ｂさせて筐体１内に収納した後、カムスライダ８を右方向ｆ（または左方向ｅ）にスライ
ドさせてドライブシャーシ５を上動ｃさせることにより、トレイ３上のディスクＤをター
ンテーブル１２上にセットする。
【０００６】
上記構成によれば、筐体１に設けた例えば空気循環用ファンの吸気作用などにより、該
筐体１内に塵埃が溜まりやすく、その溜まった塵埃が浮遊してディスクＤの記録面や光ピ
ックアップ９の対物レンズに付着することにより、読み取り誤差が生じたり、その塵埃が
プリント基板上に溜まってショート事故を生じさせるおそれがある。
【０００７】
上記難点を解消する技術として特許文献１に記載したものがある。これは、導電性金属
に高電圧をかけて静電気を発生させる静電気発生手段を用いるものであって、その静電気
発生手段を筐体１内に配置して塵埃を吸着させることが考えられる。
【特許文献１】特開平１−２２７２７６号公報
【発明の開示】
【発明が解決しようとする課題】
【０００８】
上記従来の構成では、高価で消費電力も大きい静電気発生手段を用いているため、製作
費が高くつくと共に、ランニングコストも高くつく。
【０００９】
本発明は、上記従来の欠点に鑑み、安価な構造で塵埃処理機能を備えたディスク装置を
提供することを目的としている。
【課題を解決するための手段】
【００１０】
上記目的を達成するため、請求項１に記載の発明は、合成樹脂製筐体内に光ピックアッ
プとスピンドルモータとが配置され、該スピンドルモータから上方に延びる回転軸の上端
部にターンテーブルが嵌着されており、該ターンテーブルにセットしたディスクをスピン
ドルモータにより高速回転させ、そのディスクに記録されている情報を前記光ピックアッ
プにより読み取るようにしたディスク装置において、前記回転軸の下端部がスピンドルモ
ータから下方に延ばされ、該回転軸の下端部に掃除用ブラシが取り付けられ、前記筐体の
底面に、ブラシによる掃除区域を横断するようしてスリット状塵埃排出口が貫設され、該
塵埃排出口がブラシの回転方向に沿って斜め下向きに傾斜され、その塵埃排出口のブラシ
に対向する前後両側縁のうち、その前方側縁を上方に若干突出させて突条部が形成される
と共に、その後方側縁を斜めに削除して塵埃排出口に向けて斜め下向きに所定角度傾斜し
筐体の底面から下方に所定間隔下がる傾斜ガイド面が形成されており、スピンドルモータ
により回転軸を介してターンテーブルを高速回転させると同時にブラシを高速回転させて
筐体の底面上を掃除し、その高速回転するブラシを前記傾斜ガイド面上を通って前記突条
部に接触させることにより、該ブラシに付着する塵埃を塵埃排出口内に掻き落とすように
したことを特徴としている。
【００１１】
請求項２に記載の発明は、合成樹脂製筐体内に光ピックアップとスピンドルモータとが
配置され、該スピンドルモータから上方に延びる回転軸の上端部にターンテーブルが嵌着
されており、該ターンテーブルにセットしたディスクをスピンドルモータにより高速回転
させ、そのディスクに記録されている情報を前記光ピックアップにより読み取るようにし
たディスク装置において、前記回転軸の下端部がスピンドルモータから下方に延ばされ、
該回転軸の下端部に掃除用ブラシが取り付けられており、スピンドルモータにより回転軸
を介してターンテーブルを高速回転させると同時にブラシを高速回転させ、その高速回転
するブラシで筐体の底面上を掃除することを特徴としている。
【００１２】
請求項３に記載の発明は、請求項２に記載の発明において、前記筐体の底面に、ブラシ
による掃除区域を横断するようしてスリット状塵埃排出口が貫設されていることを特徴と
している。
【００１３】
請求項４に記載の発明は、請求項３に記載の発明において、前記塵埃排出口がブラシの
回転方向に沿って斜め下向きに傾斜されていることを特徴としている。
【００１４】
請求項５に記載の発明は、請求項３または４に記載の発明において、前記塵埃排出口の
ブラシに対向する前後両側縁のうち、その前方側縁を上方に若干突出させて突条部が形成
されており、該突条部によりブラシに付着する塵埃を塵埃排出口内に掻き落とすようにし
たことを特徴としている。
【００１５】
請求項６に記載の発明は、請求項３または４に記載の発明において、前記塵埃排出口の
ブラシに対向する前後両側縁のうち、その後方側縁を斜めに削除して塵埃排出口に向けて
斜め下向きに所定角度傾斜し筐体の底面から下方に所定間隔下がる傾斜ガイド面が形成さ
れており、その傾斜ガイド面上を通って塵埃排出口の前方側縁にブラシを接触させること
により、該ブラシに付着する塵埃を塵埃排出口内に掻き落とすようにしたことを特徴とし
ている。
【００１６】
請求項７に記載の発明は、請求項３または４に記載の発明において、前記塵埃排出口の
ブラシに対向する前後両側縁のうち、その前方側縁を上方に若干突出させて突条部が形成
されると共に、その後方側縁を斜めに削除して塵埃排出口に向けて斜め下向きに所定角度
傾斜し筐体の底面から下方に所定間隔下がる傾斜ガイド面が形成されており、その傾斜ガ
イド面上を通って突条部にブラシを接触させることにより、該ブラシに付着する塵埃を塵
埃排出口内に掻き落とすようにしたことを特徴としている。
【発明の効果】
【００１７】
請求項１に記載の発明は実施の一形態（図１〜図５及び図７参照）に対応するものであ
って、これによれば、スピンドルモータによりブラシを高速回転させ、その高速回転する
ブラシで合成樹脂製筐体の底面を掃除することにより、該底面の掃除区域がブラシにより
擦られて静電気が発生し、その静電気の吸着作用で筐体内の塵埃が前記底面の掃除区域に
吸着される。従って、筐体内を浮遊する塵埃がほとんど無くなり、冒頭に述べたように浮
遊する塵埃がディスクの記録面や光ピックアップの対物レンズに付着して読み取り誤差を
生じさせたり、その塵埃がプリント基板上に溜まってショート事故を生じさせるおそれが
なく、長期にわたって快適なディスク環境を提供することができる。
【００１８】
ここで重要なことは、ターンテーブル用スピンドルモータを静電気を発生させる手段と
しても兼用しているということであり、そのスピンドルモータの回転軸の下端部を下方に
延ばしてブラシを取り付けるだけでよいから、従来の高価で消費電力も大きい静電気発生
手段を用いる場合に比べて、製作費が極めて安くつくと共に、ランニングコストもほとん
どかからず、経済的である。
【００１９】
また、筐体の底面の掃除区域に吸着された塵埃をブラシで集めてスリット状塵埃排出口
から排出するので、筐体内に塵埃が蓄積されないようにすることができる。
【００２０】
更に、塵埃排出口がブラシの回転方向に沿って斜め下向きに傾斜されているので、該塵
埃排出口の傾斜する内側面に沿って塵埃を円滑に排出することができると共に、外部から
塵埃が塵埃排出口を通って筐体内に侵入するのを阻止することができる。
【００２１】
しかも、ブラシにより筐体の底面を掃除して塵埃排出口まで塵埃を集めると、該ブラシ
が塵埃排出口の後方側縁に形成した傾斜ガイド面上を通って該塵埃排出口の前方側縁に形
成した突条部に接触され、このとき、該突条部と傾斜ガイド面との段差が大きいので、そ
の突条部によりブラシに付着する塵埃を塵埃排出口内に一層確実に掻き落とすことができ
る。
【００２２】
請求項２に記載の発明は基本形態に対応するものであって、これによれば、スピンドル
モータによりブラシを高速回転させ、その高速回転するブラシで合成樹脂製筐体の底面を
掃除することにより、該底面の掃除区域がブラシにより擦られて静電気が発生し、その静
電気の吸着作用で筐体内の塵埃が前記底面の掃除区域に吸着される。従って、筐体内を浮
遊する塵埃がほとんど無くなり、冒頭に述べたように浮遊する塵埃がディスクの記録面や
光ピックアップの対物レンズに付着して読み取り誤差を生じさせたり、その塵埃がプリン
ト基板上に溜まってショート事故を生じさせるおそれがなく、長期にわたって快適なディ
スク環境を提供することができる。
【００２３】
ここで重要なことは、ターンテーブル用スピンドルモータを静電気を発生させる手段と
しても兼用しているということであり、そのスピンドルモータの回転軸の下端部を下方に
延ばしてブラシを取り付けるだけでよいから、従来の高価で消費電力も大きい静電気発生
手段を用いる場合に比べて、製作費が極めて安くつくと共に、ランニングコストもほとん
どかからず、経済的である。
【００２４】
請求項３に記載の発明によれば、筐体の底面の掃除区域に吸着された塵埃をブラシで集
めてスリット状塵埃排出口から排出するので、筐体内に塵埃が蓄積されないようにするこ
とができる。
【００２５】
請求項４に記載の発明によれば、塵埃排出口がブラシの回転方向に沿って斜め下向きに
傾斜されているので、該塵埃排出口の傾斜する内側面に沿って塵埃を円滑に排出すること
ができると共に、外部から塵埃が塵埃排出口を通って筐体内に侵入するのを阻止すること
ができる。
【００２６】
請求項５に記載の発明によれば、ブラシにより筐体の底面を掃除して塵埃排出口まで塵
埃を集めると、そのブラシに付着する塵埃を塵埃排出口の前方側縁に形成した突条部によ
りその塵埃排出口内に確実に掻き落とすことができる。
【００２７】
請求項６に記載の発明によれば、ブラシにより筐体の底面を掃除して塵埃排出口まで塵
埃を集めると、該ブラシが塵埃排出口の後方側縁に形成した傾斜ガイド面上を通って該塵
埃排出口の前方側縁に接触され、その前方側縁によりブラシに付着する塵埃を塵埃排出口
内に確実に掻き落とすことができる。
【００２８】
請求項７に記載の発明によれば、ブラシにより筐体の底面を掃除して塵埃排出口まで塵
埃を集めると、該ブラシが塵埃排出口の後方側縁に形成した傾斜ガイド面上を通って該塵
埃排出口の前方側縁に形成した突条部に接触され、このとき、該突条部と傾斜ガイド面と
の段差が大きいので、その突条部によりブラシに付着する塵埃を塵埃排出口内に一層確実
に掻き落とすことができる。
【発明を実施するための最良の形態】
【００２９】
図１及び図２は本発明の実施の一形態であるＤＶＤプレーヤ（ディスク装置）を示すも
のであって、スピンドルモータ１０の回転軸１１の下端部１１ｂが該スピンドルモータ１
０から下方に延ばされ、該回転軸１１の下端部１１ｂに掃除用ブラシ１５が取付具１６を
介して取り付けられている。上記以外の構成は図８及び図９に示す構成とほぼ同じである
から、同一部分に同一符号を付してその説明を省略する。
【００３０】
前記取付具１６は、図３〜図５に示すように、回転軸１１の下端部１１ｂに嵌合してボ
ルト１７により該下端部１１ｂの所定高さ位置に固定されるボス１８と、該ボス１８から
水平方向に延びる支持杆１９と、該支持杆１９に外嵌させた横断面略Ｕ字状ホルダ２０と
を有し、該ホルダ２０の両端部間に合成樹脂製ブラシ１５の基端部が嵌入されて止着具２
１で止着されている。
【００３１】
上記構成において、図２（ａ）に示すプレイモードでは、ドライブシャーシ５が上動ｃ
して水平状態にされることにより、支持杆１９がボトムシャーシ１ａの底面１Ａとほぼ平
行に位置決めされ、ブラシ１５の先端部の全体がボトムシャーシ１ａの底面１Ａにほぼ均
等に接触されており（図３及び図７参照）、スピンドルモータ１０により回転軸１１を介
してターンテーブル１２を高速回転させると同時にブラシ１５を高速回転させてボトムシ
ャーシ１ａの底面１Ａを掃除する。
【００３２】
図２（ｂ）に示すアンローディングモードでは、ドライブシャーシ５が下動ｄして斜め
に傾くことにより、支持杆１９も同様に斜めに傾いて、ブラシ１５の先端部がボトムシャ
ーシ１ａの底面１Ａに押し付けられて曲げられ、ドライブシャーシ５の下動ｄを阻害しな
いようにしている。
【００３３】
上記構成によれば、スピンドルモータ１０によりブラシ１５を高速回転させ、その高速
回転するブラシ１５でボトムシャーシ１ａの底面１Ａを掃除することにより、該底面１Ａ
の回転軸１１を中心とする環状の掃除区域Ｂ（図５参照）がブラシ１５により擦られて静
電気が発生し、その静電気の吸着作用で筐体１内の塵埃が前記底面１Ａの掃除区域Ｂに吸
着される。従って、筐体１内を浮遊する塵埃がほとんど無くなり、冒頭に述べたように浮
遊する塵埃がディスクＤの記録面や光ピックアップ９の対物レンズに付着して読み取り誤
差を生じさせたり、その塵埃がプリント基板上に溜まってショート事故を生じさせるおそ
れがなく、長期にわたって快適なディスク環境を提供することができる。
【００３４】
ここで重要なことは、ターンテーブル１２用スピンドルモータ１０を静電気を発生させ
る手段としても兼用しているということであり、そのスピンドルモータ１０の回転軸１１
の下端部１１ｂを下方に延ばして取付具１６によりブラシ１５を取り付けるだけでよいか
ら、従来の高価で消費電力も大きい静電気発生手段を用いる場合に比べて、製作費が極め
て安くつくと共に、ランニングコストもほとんどかからず、経済的である。
【００３５】
図５及び図６（ａ）に示すように、ボトムシャーシ１ａの底面１Ａに、掃除区域Ｂを横
断するようして所定幅ｈ（例えば１〜３ｍｍ）のスリット状塵埃排出口２３が貫設され、
該塵埃排出口２３がブラシ１５の回転方向ｇに沿って斜め下向きに所定角度α（例えば６
０〜７０°）傾斜されている。
【００３６】
上記構成によれば、ボトムシャーシ１ａの底面１Ａの掃除区域Ｂに吸着された塵埃をブ
ラシ１５で集めてスリット状塵埃排出口２３から排出するので、筐体１内に塵埃が蓄積さ
れないようにすることができる。
【００３７】
また、塵埃排出口２３のブラシ１５の回転方向ｇに沿って斜め下向きに傾斜する内側面
２３ａに沿って塵埃を円滑に排出することができると共に、外部から塵埃が塵埃排出口２
３を通って筐体１内に侵入するのを阻止することができる。
【００３８】
図６（ｂ）は塵埃排出口２３の変形の一例目を示すものであって、該塵埃排出口２３の
ブラシ１５に対向する前後両側縁２３ｂ，２３ｃのうち、その前方側縁２３ｂを上方に若
干突出させて所定高さｉ（例えば１〜３ｍｍ）の横断面略三角形状突条部２５が形成され
ており、ブラシ１５によりボトムシャーシ１ａの底面１Ａを掃除して塵埃排出口２３まで
塵埃を集めると、そのブラシ１５に付着する塵埃を突条部２５により塵埃排出口２３内に
確実に掻き落とすことができる。
【００３９】
図６（ｃ）は塵埃排出口２３の変形の二例目を示すものであって、塵埃排出口２３のブ
ラシ１５に対向する前後両側縁２３ｂ，２３ｃのうち、その後方側縁２３ｃを斜めに削除
して塵埃排出口２３に向けて斜め下向きに所定角度β（例えば４５°）傾斜しボトムシャ
ーシ１ａの底面１Ａから下方に所定間隔ｋ（例えば１〜３ｍｍ）下がる傾斜ガイド面２６
が形成されており、ブラシ１５によりボトムシャーシ１ａの底面１Ａを掃除して塵埃排出
口２３まで塵埃を集めると、該ブラシ１５が傾斜ガイド面２６上を通って塵埃排出口２３
の前方側縁２３ｂに接触されるから、その前方側縁２３ｂによりブラシ１５に付着する塵
埃を塵埃排出口２３内に確実に掻き落とすことができる。
【００４０】
図７は塵埃排出口２３の変形の三例目を示し、これは、図６（ｂ）及び（ｃ）を組み合
わせたものであって、塵埃排出口２３のブラシ１５に対向する前後両側縁２３ｂ，２３ｃ
のうち、その前方側縁２３ｂを上方に若干突出させて所定高さｉの突条部２５が形成され
ると共に、その後方側縁２３ｃを斜めに削除して塵埃排出口２３に向けて斜め下向きに所
定角度β傾斜しボトムシャーシ１ａの底面１Ａから下方に所定間隔ｋ下がる傾斜ガイド面
２６が形成されており、ブラシ１５によりボトムシャーシ１ａの底面１Ａを掃除して塵埃
排出口２３まで塵埃を集めると、該ブラシ１５が傾斜ガイド面２６上を通って突条部２５
に接触され、このとき、該突条部２５と傾斜ガイド面２６との段差ｎが大きいので、その
突条部２５によりブラシ１５に付着する塵埃を塵埃排出口２３内に一層確実に掻き落とす
ことができる。
【産業上の利用可能性】
【００４１】
上記の実施の形態では、ＤＶＤプレーヤを例にあげて説明したが、これに限定されるわ
けではなく、例えばＤＶＤレコーダやＣＤプレーヤ及びＣＤレコーダなどの各種ディスク
装置にも適用される。
【図面の簡単な説明】
【００４２】
【図１】本発明の実施の一形態であるＤＶＤプレーヤを示す水平断面図である。
【図２】（ａ）は同プレイモードを示す縦断面図、（ｂ）は同アンローディングモードを示す縦断面図である。
【図３】同要部の縦断面図である。
【図４】図３のＡ−Ａ矢視図である。
【図５】同要部の分解斜視図である。
【図６】（ａ）は同塵埃排出口の縦断斜視図、（ｂ）は塵埃排出口の変形の一例目を示す縦断斜視図、（ｃ）は塵埃排出口の変形の二例目を示す縦断斜視図である。
【図７】同塵埃排出口の変形の三例目を示す縦断面図である。
【図８】従来例を示す水平断面図である。
【図９】（ａ）は同プレイモードを示す縦断面図、（ｂ）は同アンローディングモードを示す縦断面図である。
【符号の説明】
【００４３】
１          筐体
１Ａ        底面
９          光ピックアップ
１０        スピンドルモータ
１１        回転軸
１１ａ      回転軸の上端部
１１ｂ      回転軸の下端部
１２        ターンテーブル
１５        ブラシ
１６        取付具
２３        塵埃排出口
２３ａ      塵埃排出口の前方側縁
２３ｂ      塵埃排出口の後方側縁
２５        突条部
２６        傾斜ガイド面
Ｂ          掃除区域
ｇ          ブラシの回転方向
α          塵埃排出口の傾斜角度
【図１】
2007048375.tif 000003
【図２】
2007048375.tif 000004
【図３】
2007048375.tif 000005
【図４】
2007048375.tif 000006
【図５】
2007048375.tif 000007
【図６】
2007048375.tif 000008
【図７】
2007048375.tif 000009
【図８】
2007048375.tif 000010
【図９】
2007048375.tif 000011